(57)【要約】【課題】  前後，左右，上下の多方向からの受信と多方向への送信が可能な指向性の少ないアンテナを提供することを課題としている。【解決手段】  電波の送信又は受信用のアンテナ本体３を、電波を反射してアンテナ本体３に集中させる反射体４の凹状の反射面６からの反射波を略均等に受信するように、反射面６の開口側に配置し、反射体４を、反射面６が弧状の外周に向かって開口するように凹状の側面が弧状に湾曲した外形形状としてアンテナ本体３を反射体４に沿わせた。また複数のアンテナ１を、アンテナ本体３又はアンテナ本体３の延長軌跡が、平面視で９０度等の交差角度で互いに交差するように組み合わせて構成した。【選択図】図１
2005117483.tif 000002
【特許請求の範囲】
【請求項１】
電波の送信又は受信用のアンテナ本体（３）と、電波を反射してアンテナ本体（３）に集中させる反射体（４）とからなり、反射体（４）に、凹状の反射面（６）を設け、アンテナ本体（３）を、反射面（６）からの反射波を略均等に受信するように、反射面（６）の開口側に配置したアンテナ。
【請求項２】
反射体（４）を、凹状の側面が弧状に湾曲した外形形状として、反射面（６）を弧状の外周に向かって開口させ、アンテナ本体（３）を反射体（４）に沿わせた請求項１のアンテナ。
【請求項３】
複数のアンテナ（１）を、アンテナ本体（３）又はアンテナ本体（３）の延長軌跡が、平面視で互いに交差するように組み合わせて構成した請求項２のアンテナ。
【請求項４】
交差角度を９０度とした請求項３のアンテナ。
【請求項５】
複数のアンテナ（１）を分離可能に一体的に組み付けて構成した請求項３又は４のアンテナ。
【請求項６】
アンテナ本体（３）を１本のストレートケーブルから構成した請求項１又は２又は３又は４又は５のアンテナ。
【発明の詳細な説明】
【技術分野】
【０００１】
本発明は、電波の送受信用のアンテナに関する。
【背景技術】
【０００２】
従来複数方向（２方向）の入射角の電波に対して感度のピークを持つアンテナが公知となっている（例えば特許文献１参照）。
【特許文献１】特開平２−２４８１０２号公報
【発明の開示】
【発明が解決しようとする課題】
【０００３】
しかし上記アンテナは、２方向の入射角の電波に対して感度のピークを持つだけであるため、様々な入射角を持つ電波に対応することはできず、所定の電波を受信するためにはアンテナの向き等を調節する必要があるという欠点があった。
【課題を解決するための手段】
【０００４】
上記課題を解決するための本発明のアンテナは、電波の送信又は受信用のアンテナ本体３と、電波を反射してアンテナ本体３に集中させる反射体４とからなり、反射体４に、凹状の反射面６を設け、アンテナ本体３を、反射面６からの反射波を略均等に受信するように、反射面６の開口側に配置したことを第１の特徴としている。
【０００５】
第２に反射体４を、凹状の側面が弧状に湾曲した外形形状として、反射面６を弧状の外周に向かって開口させ、アンテナ本体３を反射体４に沿わせたことを特徴としている。
【０００６】
第３に複数のアンテナ１を、アンテナ本体３又はアンテナ本体３の延長軌跡が、平面視で互いに交差するように組み合わせて構成したことを特徴としている。
【０００７】
第４に交差角度を９０度としたことを特徴としている。
【０００８】
第５に複数のアンテナ１を分離可能に一体的に組み付けて構成したことを特徴としている。
【０００９】
第６にアンテナ本体３を１本のストレートケーブルから構成したことを特徴としている。
【発明の効果】
【００１０】
以上のように構成される本発明のアンテナの構造によると、凹状の側面から見た状態（正面視）でアンテナに対して０度を越えて１８０度未満で入射する電波は、凹状の断面視における入射角度が、略水平方向になるまで反射体の反射面によってアンテナ本体に向かって反射されるため、１つのアンテナで正面視及び断面視での入射角度が概ね０〜１８０度の入射電波の受信を高感度で行うことができるという効果がある。
【００１１】
特に反射体を、凹状の側面が弧状に湾曲した外形形状として、反射面６を弧状の外周に向かって開口させ、アンテナ本体３を反射体４に沿わせことによって、反射体がアンテナ本体に向かって反射させることができる電波のアンテナ正面視（凹状の側面から見た状態）における入射角度を、アンテナの両端部分の接線に近接する角度まで拡大することができ、より広い範囲の入射電波の受信を高感度で行うことができる。
【００１２】
これにより本アンテナを移動中の乗り物等に搭載することによって、移動に伴う電波の途切れを防止することができる他、電波の伝播状況が悪い地域等でテレビ受信機等のアンテナとすることによって、アンテナの向きを調節することなく高感度で電波を受信し、テレビ受信機による表示状態を向上させることができる。
【００１３】
そして複数のアンテナを、アンテナ本体又はアンテナ本体の延長軌跡が、平面視で互いに交差するように組み合わせて１つのアンテナとすることによって、当該アンテナにより受信できる電波のアンテナ平面視での入射角度をより大きくすることができ、特に交差角度を９０度とすることによって指向性が小さいアンテナを構成することができる。そして２つのアンテナを分離可能に一体的に組み付けることによって、アンテナを分解して簡単に移設や持ち運びを行うことができる。
【００１４】
なおアンテナ本体を１本のストレートケーブルによって構成することで、アンテナの構造を簡単にすることができ、この場合も反射体によって電波はアンテナ本体に集中させられるため、感度の低下は少ない。
【発明を実施するための最良の形態】
【００１５】
図１は本発明のアンテナの正面図，図２はＡ−Ａ断面図であり、平面視で互いに９０度で交差する３つのアンテナ１と、支持台２によって構成されている。いずれのアンテナ１も電波を受けるアンテナ本体３と、アンテナ本体３に向かって電波を集中して反射させる反射体４とから構成されている。
【００１６】
アンテナ本体３は、電波の送受信が可能なケーブルからなり、本実施形態においては一本のストレートケーブルが使用されている。なおフェライトやプラスチック等の芯にケーブルを巻き、コイルアンテナとすることもでき、ロッドアンテナのようなロッドタイプや金属棒等によって構成することもできる。
【００１７】
反射体４は、金属等の電波を反射する材料からなり、略Ｕ字状の凹状断面形状を備えたプレートから構成されている。そして該プレートを、断面が外側に向かって開口するように、円弧状に湾曲させて凹状の側面が弧状に湾曲した外形形状の反射体４を形成させている。なお上記プレートを略Ｖ字状に屈曲した断面を備えたものとすることもできる。
【００１８】
一方反射体４の外周面（凹部）６における湾曲の底部位置からは、杆状の支持体７が所定間隔で複数突設されており、該支持体７にアンテナ本体３が支持されている。これによりアンテナ本体３は、反射体４の外周側に、反射体４から所定距離離反した状態で、ほぼ反射体４に沿って設けられる。これによりアンテナ１は正面視において円弧状に湾曲した形状となっている。
【００１９】
そして反射体４は、湾曲面（外周面６）を電波の反射面とし、アンテナ本体３は反射体４の反射面６からの反射波をほぼ均等に受信するような距離に配置されている。なお支持体７は絶縁物によって形成されている。
【００２０】
上記３つのアンテナ１は、１つの大径の円弧状のアンテナ（メインアンテナ）１Ｍと、２つの小径の円弧状のアンテナ（サブアンテナ）１Ｓとなっており、連結部８を介して分離可能に一体的に固定されている。なおサブアンテナ１Ｓはメインアンテナ１Ｍの概ね１／２のサイズの円弧となっている。
【００２１】
上記連結部８は、メインアンテナ１Ｍの反射体４における頂部に一体的に固定されており、メインアンテナ１Ｍに対して平面視で直交（９０度）する方向に支持杆９が突設され、該支持杆９の先端に連結ボール１１が設けられている。またサブアンテナ１Ｓの反射体４の上端側には、上記連結ボール１１が挿入される受け体１２が設けられている。
【００２２】
そして図３に示されるように、メインアンテナ１Ｍの正面視左右に、サブアンテナ１Ｓが、左右方向に凸となるように、受け体１２に連結ボール１１を挿入し、イモネジ１３等のボルトによって抜け止めを行うことによって、サブアンテナ１Ｓがメインアンテナ１Ｍに対して、平面視（図３の状態）で９０度で直交するように、３つのアンテナ１が、一体的に連結される。
【００２３】
一方上記支持台２は、板状をなし、スタンド１４に支持されているとともに、支持台２の上面に反射体４の下端部分が接地又は接地固定されている。そして支持台２にも上記連結部８が設けられており、サブアンテナ１Ｓの反射体４の下端側に設けられる受け体１２に連結ボール１１を挿入し、イモネジ１３等のボルトによって抜け止めを行うことによって、サブアンテナ１Ｓが支持台２に一体的に連結され、３つのアンテナ１が支持台２に取り付けられる。
【００２４】
本アンテナは以上のように構成されており、各アンテナ１の反射体４は、図４に示される各アンテナ１の正面視で反射体４の両端部部分の接線に近接する角度範囲Ｈ１の入射角の電波を、図５に示されるように、Ｕ字状の断面視における入射角度が、略水平方向になるまでの角度範囲Ｈ２でアンテナ本体３に向かって反射するため、各アンテナ１においては、正面視において概ね０〜２７０度で、且つ断面視において概ね０〜１８０度の入射角の電波を高感度で受信することができる。
【００２５】
そして本アンテナは、前述のように各アンテナ１が平面視で９０度で交差するように設けられているため、前後，左右，上下の多方向からの受信と多方向への送信が可能となり、全体として指向性の少ないアンテナとなり、ほぼ全ての入射角の電波を高感度で受信することができる。
【００２６】
これにより移動中の乗り物等に搭載することによって、移動に伴う電波の途切れを防止することができる他、電波の伝播状況が悪い地域等でテレビ受信機等のアンテナとすることによって、アンテナの向きを調節することなく高感度で電波を受信し、テレビ受信機による表示状態を向上させることができる。
【００２７】
また３つのアンテナ１を支持台２から外し、連結ボール１１を受け体１２から外すと、３つに分割される。これによりアンテナを分解して簡単に移設することや持ち運びを行うことができ、また各アンテナ１毎に交換することもできる。なおアンテナ本体３が１本のストレートケーブルによって構成されているため、アンテナの構造が簡単となり、この場合も反射体４によって電波はアンテナ本体３に集中させられるため、感度の低下は少ない。
【実施例１】
【００２８】
図６に示されるように、アンテナ１を正面視において直線状の形状としてもよい。この場合は正面視でアンテナ１に対して０度を越えて１８０度未満までの範囲Ｈ３の入射角度で入射する電波は、図７に示されるように、Ｕ字状の断面視における入射角度が、略水平方向になるまでの角度範囲Ｈ４の電波が反射体４によってアンテナ本体３に向かって反射されるため、１つのアンテナ１で正面視及び断面視での入射角度が概ね０〜１８０度の入射電波の受信及び送信を高感度で行うことができる。
【図面の簡単な説明】
【００２９】
【図１】本アンテナの正面図である。
【図２】図１のＡ−Ａ断面図である。
【図３】本アンテナの平面図である。
【図４】１つのアンテナの正面視における電波の反射状態を示す。
【図５】１つのアンテナの断面視における電波の反射状態を示す。
【図６】正面視における電波の反射状態を記載した直線状のアンテナの正面図である。
【図７】直線状のアンテナの断面視における電波の反射状態を示す。
【符号の説明】
【００３０】
１      アンテナ
３      アンテナ本体
４      反射体
６      外周面（反射面）
【図１】
2005117483.tif 000003
【図２】
2005117483.tif 000004
【図３】
2005117483.tif 000005
【図４】
2005117483.tif 000006
【図５】
2005117483.tif 000007
【図６】
2005117483.tif 000008
【図７】
2005117483.tif 000009